(57)【要約】      （修正有）【課題】電動給油ポンプも灯油ポリタンクに入れたまま、移動することなく収納でき、万が一、倒してしまった時にも灯油漏れを最小限に抑えることができる収納器具及び灯油切り器具を提供する。【解決手段】従来のネジきりしてある灯油容器キャップの上部に電動給油ポンプが入る大きさの穴１を開ける。灯油容器キャップ状のものの外周の一箇所に蝶つがいの軸２を設け固定させる。その軸を中心として両側より挟むための半円のリング状のもの３を設け、電動給油ポンプを挟んでバックル４をかけて固定させるようにしたものである。また、挟んだ隙間から灯油が漏れないように、電動給油ポンプが入る穴１に穴の壁５を設けその外側に凸状の線６を設ける。また半円のリング状のもの３の下部に一体化したリング状の壁７を設け、その内側には凹状の溝８を切り、電動給油ポンプを挟んだ時に倒れてもこの凹凸が合わさることにより灯油が漏れないようにしたものである。【選択図】図１
0003154789.tif 000002
【実用新案登録請求の範囲】
【請求項１】
本考案は、灯油容器キャップ型の物を利用した電動給油ポンプの収納器具である。電動給油ポンプの吸い込み口が吸い上げる軸部分より太くなっているため挟む構造にしている。その仕組みは、従来のネジきりしてある灯油容器キャップの上部に電動給油ポンプが入る大きさの穴を開ける。灯油容器キャップ状のものの外周の一箇所に蝶つがいの軸を設け固定させる。その軸を中心として両側より挟むための半円のリング状のものを設け、電動給油ポンプを挟んでバックルをかけて固定させるようにしたものである。また、挟んだ隙間から灯油が漏れないように、電動給油ポンプが入る穴に壁を設けその外側に凸状の線を設ける。また半円のリング状のものの下部に一体化した半円リング状の壁を設け、その内側には凹状の溝を切り、電動給油ポンプを挟んだ時に倒れてもこの凹凸が合わさることにより灯油が漏れないようにしたものである。給油ポンプの吸い上げる軸の部分を挟めるようにした半円のリング状のものの内側に耐油ラバーを貼り付けてあり、物が当たった時のショックを吸収し、よりしっかりと固定することを特徴とする。
【請求項２】
本考案は、電動給油ポンプの注ぎ口の灯油切りをするために、灯油容器キャップ型のものにポンプの注ぎ口を誘導する誘導筒を設け、差し込んだ状態にして固定したものである。その誘導筒の底には、小さな穴を設けてあり、注ぎ口より垂れた灯油を容器に戻すものである。小さな穴の下には浮き球を利用した弁を設けてあり、倒れた時にも灯油漏れを最小限に抑えるものである。
【考案の詳細な説明】
【技術分野】
【０００１】本考案は、同名の考案の名称と同名の考案者水戸貞夫が実用新案登録願として、平成２０年１０月３０日付けで特許庁に提出した受付番号２０８０２０６００９１、整理番号０８−ＴＣＡＰの実用新案登録内容の改良型の灯油容器キャップ型の電動給油ポンプを挟んで収納する器具及びポンプの注ぎ口の灯油容器キャップ型灯油切り器具である。
【背景技術】
【０００２】従来は、電動給油ポンプを使い終わってから、専用のケースに入れて保管するのが一般的であるはずだった。しかし、ほとんどの家庭、事務所でもそのまま差し込んで放置しているのが現状である。かすかに灯油の匂いをさせたままで、倒してしまえば簡単に灯油漏れしてしまう危険性があった。
【考案の開示】
【考案が解決しようとする課題】
【０００３】電動給油ポンプを差し込んだままにしていると、もちろん蓋はされないままで、電動給油ポンプも横にはみ出したように横たわっていて、引っ掛けて灯油をこぼす危険性がある。本考案は、この課題を解消するためになされたものである。
【課題を解決するための手段】
【０００４】本考案は、灯油容器キャップ型のものを利用した電動給油ポンプの収納器具である。電動給油ポンプの吸い込み口が吸い上げる軸部分より太くなっているため挟む構造にしている。その仕組みは、従来のネジきりしてある灯油容器キャップの上部に電動給油ポンプが入る大きさの穴１を開ける。灯油容器キャップ状のものの外周の一箇所に蝶つがいの軸２を設け固定させる。その軸を中心として両側より挟むための半円のリング状のもの３を設け、電動給油ポンプを挟んでバックル４をかけて固定させるようにしたものである。また、挟んだ隙間から灯油が漏れないように、電動給油ポンプが入る穴１に穴の壁５を設けその外側に凸状の線６を設ける。また半円のリング状のもの３の下部に一体化したリング状の壁７を設け、その内側には凹状の溝８を切り、電動給油ポンプを挟んだ時に倒れてもこの凹凸が合わさることにより灯油が漏れないようにしたものである。給油ポンプの吸い上げる軸の部分を挟めるようにした半円のリング状のもの３の内側に耐油ラバー９を貼り付けてあり、よりしっかりと固定することを特徴とする。また、電動給油ポンプの注ぎ口の灯油切りをするために、灯油容器キャップ型のものにポンプの注ぎ口を誘導する誘導筒１０を設け、差し込んだ状態にして固定したものである。その誘導筒９の底には、小さな穴１１を設けてあり、注ぎ口より垂れた灯油を灯油ポリタンクに戻すものである。小さな穴１１の下には浮き球１２を利用した浮力方向誘導棒付き弁１３を設けてあり、倒れた時にも灯油漏れを最小限に抑えるものである。
【考案の効果】
【０００５】このようにすれば、電動給油ポンプも灯油ポリタンクに入れたまま、移動することなく収納できるものである。また、万が一、倒してしまった時にも灯油漏れを最小限に抑えることができるものである。
【実施例１】
【０００６】
【図面の簡単な説明】
【０００７】
【図１】本考案の電動給油ポンプの収納器具を開いた状態の斜視図である。
【図２】本考案の灯油切り器具の斜視図である。
【図３】本考案の灯油切り器具の部分断面図である。
【符号の説明】
【０００８】１    穴
２    蝶つがいの軸
３    半円のリング状のもの
４    バックル
５    穴の壁
６    凸状の線
７    リング状の壁
８    凹状の溝
９    耐油ラバー
１０  誘導筒
１１  小さな穴
１２  浮き球
１３  浮力方向誘導棒付き弁
【図１】
0003154789.tif 000003
【図２】
0003154789.tif 000004
【図３】
0003154789.tif 000005
【手続補正書】
【提出日】平成21年2月3日(2009.2.3)
【手続補正１】
【補正対象書類名】実用新案登録請求の範囲
【補正対象項目名】全文
【補正方法】変更
【補正の内容】
【実用新案登録請求の範囲】
【請求項１】
本考案は、一つの灯油ポリタンクの二つの給油口を利用して、灯油容器キャップ型の器具二種を用い、電動給油ポンプのポンプ部分とポンプの注ぎ口を二つの給油口に収められるようにした収納器具である。電動給油ポンプの吸い込み口が吸い上げる軸部分より太くなっているため挟む構造にしていてその仕組みは、従来のネジきりしてある灯油容器キャップの上部に電動給油ポンプが入る大きさの穴を開け、灯油容器キャップ状のものの外周の一箇所に蝶つがいの軸を設け固定させ、その軸を中心として両側より挟むための半円のリング状のものを設け、電動給油ポンプを挟んでバックルをかけて固定させるようにしたもので、挟んだ隙間から灯油が漏れないように、電動給油ポンプが入る大きさの穴の淵に壁を設けその外側部分に凸状の線を設け、また挟むための半円のリング状のものの下部に灯油が漏れないように一体化した半円リング状の壁を設け、その内側には凹状の溝を切り、電動給油ポンプを挟んだ時に倒れてもこの凹凸が合わさることにより灯油が漏れないようにしたもので、給油ポンプの吸い上げる軸の部分を挟めるようにした半円のリング状のものの内側に耐油ラバーを貼り付け、物が当たった時のショックを吸収し、よりしっかりと固定することを特徴とする灯油容器キャップ型の電動給油ポンプのポンプ部分を収納する器具である。
【請求項２】
本考案は、一つの灯油ポリタンクの二つの給油口を利用して電動給油ポンプの注ぎ口の灯油切りもするために、もう一方の灯油容器キャップ型の物にポンプ注ぎ口を誘導する誘導筒を設け差し込んだ状態に固定したものであり、その誘導筒の底には小さな穴を設け、注ぎ口より垂れた灯油を容器に戻すものであり、誘導筒の小さな穴の下には浮き球を利用した弁を設けてあり、倒れた時にも灯油漏れを最小限に抑えることを特徴とする請求項１記載の灯油容器キャップ型の器具と対をなすものであり、一つの灯油ポリタンク内に収納するための電動給油ポンプ注ぎ口の収納器具である。
【手続補正書】
【提出日】平成21年5月26日(2009.5.26)
【手続補正１】
【補正対象書類名】実用新案登録請求の範囲
【補正対象項目名】全文
【補正方法】変更
【補正の内容】
【実用新案登録請求の範囲】
【請求項１】
灯油ポリタンクの給油口を利用して、灯油容器キャップ型の器具を用い、電動給油ポンプを給油口に収められるようにした収納器具であり、電動給油ポンプの吸い込み口が吸い上げる軸部分より太くなっているため挟む構造にしていて、その仕組みはネジきりしてある灯油容器キャップの上部に電動給油ポンプが入る大きさの穴を開け、穴を開けた灯油容器キャップの外周の一箇所に軸を設け固定させ、その軸を中心として両側より蝶つがいを利用した半円状のリングで電動給油ポンプを挟むようにしたもので、その構造は指輪のリングを垂直に半分に切った形の半円のリング状のものを、穴を開けた灯油キャップの外周の軸の上部に蝶つがいを利用して一つのリングになって電動給油ポンプを挟んでバックルをかけて固定させるようにしたもので、挟んだ隙間から灯油が漏れないようにするため、半円のリング状のものの下部に一体化したスカートを設け、また、電動給油ポンプが入る大きさの穴を開けた淵に垂直に壁を設け電動給油ポンプを挟んでしかも灯油が漏れないようにするものであり、電動給油ポンプを挟むための半円リング状のものの下部に一体化したスカートの内側に凹状の溝を切り、電動給油ポンプが入る大きさの穴を開けた淵の垂直の壁の外周に凸状の線を設け、電動給油ポンプを挟んだ時に倒れてもこの凹凸が合わさることにより灯油が漏れないようにしたもので、挟んで密着した部分には耐油ラバーを貼り付け、物が当たった時のショックを吸収し、よりしっかりと固定することを特徴とする灯油容器キャップ型の電動給油ポンプを収納する器具。
【手続補正書】
【提出日】平成21年5月26日(2009.5.26)
【手続補正１】
【補正対象書類名】図面
【補正対象項目名】全図
【補正方法】変更
【補正の内容】
【図１】
0003154789.tif 000006
【手続補正書】
【提出日】平成21年8月19日(2009.8.19)
【手続補正１】
【補正対象書類名】明細書
【補正対象項目名】０００７
【補正方法】変更
【補正の内容】
【０００７】
【図１】本考案の電動給油ポンプの収納器具を開いた状態の斜視図である。
【手続補正２】
【補正対象書類名】明細書
【補正対象項目名】０００８
【補正方法】変更
【補正の内容】
【０００８】１  穴
２  蝶つがいの軸
３  半円のリング状のもの
４  バックル
５  穴の壁
６  凸状の線
７  リング状の壁
８  凹状の溝
９  耐油ラバー